(57)【要約】【課題】  低コストを追求しつつ、落下時等において内部に伝わる衝撃が小さく、さらに熱放熱性に優れたプリンタを提供する。【解決手段】  内部機構ユニット１０３の骨格部を構成する底板部１０３ｄの両側に２分割された下部ケーシング１０１ａと１０１ｂとを固定する。下部ケーシング１０１ａと１０１ｂとは、プリンタ１００を支える脚部として機能し、その間において底板部１０３ｄが露出する。この構造によれば、下部ケーシングが分割されているので、内部機構ユニット１０３に加わる衝撃が緩和される。また、内部機構ユニット１０３からの放熱が効果的に行える。【選択図】  図１
2006116850.tif 000002
【特許請求の範囲】
【請求項１】
印刷機構を保持する内部機構ユニットの骨格部と、
この骨格部の底板部における１つまたは複数の角部を覆い、且つ複数に分割された下部ケーシングと
を備えたことを特徴とするプリンタ。
【請求項２】
前記骨格部は金属材料により構成され、
前記下部ケーシングは樹脂材料により構成され、
前記下部ケーシングは前記骨格部に固定され
ていることを特徴とする請求項１に記載のプリンタ。
【請求項３】
上部ケーシングをさらに備え、
この上部ケーシングは、前記骨格部に固定され、前記下部ケーシングに固定されていないことを特徴とする請求項１または２に記載のプリンタ。
【請求項４】
前記分割された下部ケーシング間において、前記底板部は露呈し、
前記下部ケーシングによって、この露呈した底板部とプリンタ設置面との間に隙間が形成されていることを特徴とする請求項１〜３のいずれかに記載のプリンタ。
【請求項５】
前記底板部上には電源部が配置されていることを特徴とする請求項１〜４のいずれかに記載のプリンタ。
【発明の詳細な説明】
【技術分野】
【０００１】
本発明は、耐落下衝撃性と放熱性に優れた構造を有するプリンタに関する。
【背景技術】
【０００２】
パーソナルコンピュータの普及に伴い、各種の印刷を行う機能を有するプリンタが広く普及している。パーソナルユースのプリンタには、低価格、高機能、高耐久性、軽量といった点が特に強く要求されている。プリンタの構造として、例えば特許文献１に記載されたものが知られている。
【０００３】
特許文献１には、プリンタの外装構造を、上下のケーシングと、それらと一体化される左右のケーシングとに分離し、上下のケーシングにより筒状構造を構成し、左右のケーシングによりこの筒状構造の開放部を覆う構造とするプリンタについて記載されている。特許文献１には、このような構造とすることで、全体を一体化し、プリンタ筐体の機械的強度が高くできる優位性がある旨が記載されている。
【０００４】
【特許文献１】特開２００４−８２４０７号公報
【発明の開示】
【発明が解決しようとする課題】
【０００５】
しかしながら、上述のような全体を一体化した外装構造は、耐落下衝撃性が弱く、また全体が外装構造によって覆われるので、内蔵されている機器（特に電源）からの発熱を放熱する機能が不足する問題があった。また、外装構造（通常樹脂材料が用いられる）を構成する材料の寸法が大きくなるので、射出成形装置やプレス加工装置の型として大型のものが必要であり、そのため製造コストの削減に限界があった。
【０００６】
特に、本発明者らの実験によれば、外側全体を覆う一体化された外装構造は、意図的にプリンタを落下させる落下試験において、内部に伝わる衝撃が大きいという欠点が判明している。
【０００７】
パーソナルユースのプリンタは、輸送時や、ユーザが持ち運びをしている際に、意図せず、（１）どこかにぶつける、（２）床等に落下させてしまう、といった強い衝撃が加わる事態が懸念される。また、落下が懸念される場所への配置が行われる場合も考えられる。したがって、落下に対する耐衝撃性が高いことが望まれる。
【０００８】
上述の外側全体を覆う一体化された外装構造において、耐衝撃性を高くするには、外装構造を、強度があり且つ靱性（じんせい）の高い材料により構成する、内部にクッション材を入れる、といった構成の採用が考えられるが、高コストになり好ましくない。
【０００９】
そこで本発明は、低コストを追求しつつ、落下時等において内部に伝わる衝撃が小さく、さらに熱放熱性に優れたプリンタを提供することを目的とする。
【課題を解決するための手段】
【００１０】
本発明のプリンタは、印刷機構を保持する内部機構ユニットの骨格部と、この骨格部の底板部における１つまたは複数の角部を覆い、且つ複数に分割された下部ケーシングとを備えていることを特徴とする。
【００１１】
印刷機構とは、印刷ヘッド、その駆動系、インクカートリッジ、紙の搬送機構、インクの定着機構、クリーニング機構、および制御回路その他を備えている。内部機構ユニットは、この印刷機構と、この印刷機構を支える骨格部を備えている。内部機構ユニットだけで印刷動作を行うことが可能であるが、骨格部が露出する状態となるので、意匠性や持ち運びの容易性、さらには不用意に触った場合における安全性が考慮されていない状態となる。
【００１２】
本発明においては、骨格部の底板部における角部を覆う構造で、分割された複数の下部ケーシングを配置する。例えば、内部機構ユニットの骨格部の底板部が略四角形状である場合、２つの角部をまとめて覆う構造の下部ケーシングを２つ用意し、底板部の対辺を覆うように下部ケーシングを骨格部の底板部に取り付ける。
【００１３】
この下部ケーシングは、プリンタの脚部としての機能、意匠性を与える機能、内部機構ユニットの骨格部の角の部分を覆う構造とすることによる安全性を確保する機能、プリンタを持ち運ぶ際に利用される「取って」の部分を提供する機能等を有する。
【００１４】
ところで、例えばプリンタが床に落下した際、外装構造体であるケーシングのどこかの部分が床にぶつかり、それが契機となりプリンタ全体に衝撃が伝搬する。この場合、面や稜線が均一にぶつかることは考え難く、特に意図しないで落とせば、プリンタの角部が最初にぶつかることになる。
【００１５】
本発明においては、底板部の角部を覆う下部ケーシングが分割されているので、不注意等によりプリンタを床等に落下させても、衝撃が靱性の高い骨格部で吸収され、プリンタ全体に強い衝撃が伝わることが防止される。この結果、精密機械機構を備えた内部機構に伝わる衝撃も緩和される。すなわち、落下等に際する衝撃に強いプリンタを得ることができる。この点に関しては、後述するように、落下衝撃試験の結果から明確に確認できている。
【００１６】
また、下部ケーシングを構成する部材の寸法を小さくすることができるので、例えば下部ケーシング部材として樹脂材料を用い、それを射出成形法により製造する場合、成形型を比較的小型のものとすることができる。このため、生産コストを低減することができる。さらに、プリンタ全体を覆うケーシング構造ではないので、ケーシングを構成する材料の使用量を抑えることができる。
【００１７】
本発明のプリンタにおいて、骨格部は金属材料により構成され、下部ケーシングは樹脂材料により構成され、下部ケーシングは前記骨格部に固定されている態様とすることは好ましい。
【００１８】
この態様によれば、内部機構ユニットの骨格部を、強度と靱性の高い金属材料により構成し、その骨格部に分割された下部ケーシングを固定しているので、プリンタ全体としての靱性（じんせい）が高まり、下部ケーシングに加わった衝撃をプリンタ全体のしなりにより吸収することが可能になる。
【００１９】
また、下部ケーシングを樹脂材料により構成することで、任意の意匠性を与えることの容易性、脚部としての振動遮断能力の向上、プリンタの設置面を傷つけ難い機能、プリンタの移動や持ち運びが容易にできる「取っ手」の配置、内部機構ユニットの底板の角部を不用意に触れた場合の安全性の確保、電源や印刷機構からの発熱により高温になる内部機構ユニットを使用者が直接触れることを防止し、断熱作用を持たせる機能、といった優位性を得ることができる。また、下部ケーシングを樹脂材料で構成することで、これらの優位性を確保しつつ、重量の増加を抑えることができる。
【００２０】
本発明のプリンタにおいて、上部ケーシングをさらに備え、この上部ケーシングは、内部機構ユニットの骨格部に固定され、下部ケーシングに固定されていない構造とすることは好ましい。
【００２１】
この態様によれば、上部ケーシングと下部ケーシングとは、直接結合されず、それぞれ内部機構ユニットの骨格部に固定され、互いに内部機構ユニットの骨格部を介して結合する構造となる。この構造によれば、プリンタが床等に落下した際に、各ケーシングが独立して変形可能であり、衝撃は骨格部のみに伝わり吸収されるので、内部機構に加わる衝撃が緩和される。
【００２２】
例えば、プリンタが床に落下した場合、上記本発明の態様の構造においては、下部ケーシングは分割され、しかもこの下部ケーシングと上部ケーシングとは直接結合されていないので、各ケーシング部材は、衝撃を受けた際に他のケーシング部材に直接衝撃を伝えることがない。
【００２３】
このため、衝撃が内部機構ユニットの骨格部の変形によって吸収され、内部機構に加わる衝撃が緩和される。
【００２４】
これに対して、外装構造を一体構造とした場合、外装構造全体の剛性のために、変形が抑えられ、そのため衝撃の吸収が不十分となって、内部機構ユニットに大きな衝撃が伝わってしまう。
【００２５】
本発明のプリンタにおいて、分割された下部ケーシング間において、底板部は露呈し、下部ケーシングによって、この露呈した底板部とプリンタ設置面との間に隙間が形成されている構造とすることは好ましい。
【００２６】
この態様によれば、プリンタの下面において、内部機構ユニットの底面が露出し、この露出面から、内部機構ユニット内部で発生する熱を効果的に放熱させることができる。
【００２７】
また本発明のプリンタにおいて、底板部上には電源部が配置されている構造とすることは好ましい。
【００２８】
この態様によれば、主要な発熱源である電源部からの発熱を、効果的に底板部から放熱させることができる。また、この態様によれば、プリンタの底面から輻射されるノイズを効果的にシールドすることができる。
【００２９】
通常電源部は、スイッチング電源が利用されるが、スイッチング電源は、その動作原理上、ノイズを発生し易い。上述した構造によれば、放熱に有利である上にプリンタ底面から輻射されるノイズを確実にシールドすることができる。
【００３０】
また、この態様に組み合わせて、プリンタの設置面との間に隙間を設ける構成を採用すすることで、放熱をさらに効果的に行うことができる。この場合、内部機構ユニットの底板部の露出面とプリンタの設置面との間に意図的に隙間が設けられる。この隙間に空気が流通することで、放熱をより効果的に行うことができる。
【発明の効果】
【００３１】
本発明によれば、低コストを追求しつつ、落下時等において内部に伝わる衝撃が小さく、さらに熱放熱性に優れたプリンタを提供することができる。
【発明を実施するための最良の形態】
【００３２】
１．第１の実施形態
図１は、本発明を利用したプリンタの概要を示す分解斜視図である。図１には、第１の下部ケーシング１０１ａ（左側下部ケーシング）、第２の下部ケーシング（右側下部ケーシング）１０１ｂ、内部機構ユニット１０３、電源ユニット１０４、上部ケーシング１０５を備えたプリンタ１００が示されている。
【００３３】
内部機構ユニット１０３の骨格部は、強度と靱性の高いプレス加工された鋼板（金属材料）によって構成されている。この骨格部は、印字ヘッド等の印刷機構を保持する側板１０３ａおよび１０３ｂと、この側板１０３ａおよび１０３ｂを連結する連結フレーム１０３ｃと、内部機構ユニットの底部を覆う底板部１０３ｄとによって構成されている。
【００３４】
ここで、印刷機構とは、印刷ヘッド、その駆動系、インクカートリッジ、紙の搬送機構、インクの定着機構、クリーニング機構、および制御回路その他のことをいう。
【００３５】
第１の下部ケーシング１０１ａおよび第２の下部ケーシング１０１ｂは、プリンタ１００の下側の一部を覆うケーシングであり、射出成形された樹脂で構成されている。また上部ケーシング１０５は、プリンタ１００の上側を覆うケーシングであり、射出成形された樹脂で構成されている。
【００３６】
下部ケーシング１０１ａには、電源スイッチ１０８が配置されている。また、第２の下部ケーシング１０１ｂの側面には、プリンタ１００を持ち上げる際の「取っ手」となる窪み１０９が形成されている。なお、図示されていないが、第１の下部ケーシング１０１ａにも同様な構造が形成されている。
【００３７】
また、上部ケーシング１０５は、曲面加工され、開閉動作が可能な半透明アクリル板１０６を備えている。インクカートリッジ等の部品の取り替えや紙詰まりした紙の除去は、この半透明アクリル板１０６を開くことで、容易に行うことができる。
【００３８】
図２は、一部組み立てが行われた状態の分解斜視図（図２（Ａ））と、組み立て完了状態を示す斜視図（図２（Ｂ））である。図２（Ａ）には、内部機構ユニット１０３に第１の下部ケーシング１０１ａと第２の下部ケーシング１０１ｂとを取り付け、さらに上部ケーシング１０５をそこに被せて固定しようとする状態が示されている。
【００３９】
すなわち、第１の下部ケーシング１０１ａは、内部機構ユニット１０３の底板部１０３ｄの左側（正面から見て左側）の２ヶ所の角部を包むように覆った状態で、底板部１０３ｄに対して固定され、第２の下部ケーシング１０１ｂは、内部機構ユニットの底板部１０３ｄの右側（正面から見て右側）の２ヶ所の角部を包むように覆った状態で、底板部１０３ｄに対して固定されている。
【００４０】
第１の下部ケーシング１０１ａおよび第２の下部ケーシング１０１ｂは、底板部１０３ｄの左右両辺を下方から包み込む構造を有し、内部機構ユニット１０３を支える脚部としても機能する。
【００４１】
また、第１の下部ケーシング１０１ａおよび第２の下部ケーシング１０１ｂの設置面側（プリンタ１００を置く面の側）には、図３に示す突起部２０３が形成されており、この突起部が設置面に接触し、プリンタを支える構造となっている。
【００４２】
この構造においては、第１の下部ケーシング１０１ａおよび第２の下部ケーシング１０１ｂの脚部としての機能により、底板部１０３ｄが、プリンタ１００の設置面（例えば棚板の表面や机の表面）から少し（例えば１．５ｃｍ）持ち上げられる。すなわち、下部ケーシング内側の縁１０７（図１参照）の高さと、前述の突起部２０３の長さの合計値の分だけ、底板部１０３ｄはプリンタ１００の設置面から浮き上がり、その間に隙間が形成される。
【００４３】
ここで、第１の下部ケーシング１０１ａと第２の下部ケーシング１０１ｂとの間における底板部１０３ｄは、プリンタ１００の裏側（底側）において露出している。したがって、プリンタを通常の状態で机の上等に設置した場合に、その露出面と設置面との間に隙間が形成され、そこで効果的な放熱機能を得ることができる。
【００４４】
第１の下部ケーシング１０１ａは、底板部１０３ｄと側板１０３ａにビスで固定され、第２の下部ケーシング１０１ｂは、底板部１０３ｄと側板１０３ｂにビスで固定されている。つまり、下部ケーシング１０１ａおよび下部ケーシング１０１ｂは、内部機構ユニット１０３の骨格部に対してビスで固定されている。なお、第１の下部ケーシング１０１ａおよび第２の下部ケーシング１０１ｂは、骨格部以外に対しては特に固定されていない。
【００４５】
底板部１０３ｄは、内部機構ユニット１０３の底部分に蓋をする形で、ビスで連結フレーム１０３ｃに固定され、内部機構ユニット１０３の一部となる。また、底板部１０３ｄ上には、内部機構ユニット１０３内に格納される電源ユニット１０４が配置固定されている。
【００４６】
電源ユニット１０４は、スイッチング電源であり、電源ボード上に整流回路、スイッチング回路、電圧安定化回路および保護回路を備えている。電源ユニット１０４と内部機構ユニット１０３内の各種回路や駆動系との間には、図示しない配線コネクタによって配線がなされている。底板部１０３ｄが内部機構ユニット１０３の底部に固定されることで、電源ユニット１０４は、内部機構ユニット１０３内に格納された状態となる。
【００４７】
内部機構ユニット１０３の骨格部には、上部ケーシング１０５が図示しないビスにより固定される。ここで、図２に示されるように、上部ケーシング１０５は、内部機構ユニット１０３の骨格部に固定されるが、下側ケーシング１０１ａおよび１０１ｂには、直接固定されない。つまり、上部ケーシング１０３、下側ケーシング１０１ａおよび１０１ｂは、それぞれ独立に分離された状態で内部機構ユニット１０３の骨格部に固定される。
【００４８】
図３は、図１に示すプリンタを側面方向から見た断面図である。図３には、一方の下部ケーシング１０１ｂの設置面側に形成された突起部２０３が示されている。この突起部２０３と、下部ケーシング１０１ｂ内側の縁（図１の符号１０７に対応する部分）によって、設置面２０２と底板部１０３ｄの露出した表面（プリンタ１００の底部分で露出した表面）との間には隙間が形成される。この隙間には、矢印２０４で示されるように空気が流通し、電源ユニット１０４の発熱を効果的に放熱することができる。なお、矢印２０４の空気の流れは逆であってもよい。
【００４９】
図４は、本実施形態におけるプリンタの正面図（Ａ）と背面図（Ｂ）である。図４には、ホストコンピュータに接続を行うためのコネクタ４０１、底板部１０３ｄの露出した表面４０２とプリンタ１００の設置面２０２との間に形成された隙間４０３が示されている。
【００５０】
図示されているように、プリンタ１００の正面側は、上部ケーシング１０５が下方まで延長しており、設置面２０２との間の隙間の寸法は小さい（例えば０．５ｃｍ）。これは、意匠上の点から、プリンタ１００本体の下面の隙間が見えにくいようにしているからである。
【００５１】
他方において、プリンタ１００の背面側は、意匠上の制約が少ないので、上部ケーシング１０５にコの字形状の開口部４０５が形成され、そこから内部機構ユニット１０３、および底板部１０３ｄの一部が露出している。さらに、底板部１０３ｄの露呈した底面４０２と設置面２０２との間に隙間４０３が、それなりの寸法（例えば１．５ｃｍ）で形成され、底面４０２からの放熱が効果的に行われるように放熱経路が確保されている。
【００５２】
（比較例（従来構造））
本発明を利用した構造の優位性を確認するために、従来構造のプリンタを用意した。図５は、比較対象としたプリンタの概要を示す分解斜視図である。図５に示す従来構造のプリンタと、図１に示すプリンタとが異なる点は、下部ケーシングの構造にある。
【００５３】
すなわち、図５に示すプリンタ７０１において、下部ケーシング７０２は分割されておらず、プリンタの底面全体を支える土台として機能する構造となっている。つまり、プリンタ底面の全体を構成する外装部材として機能する構造となっている。
【００５４】
そして、下部ケーシング７０２上にシールド板７０３が取り付けられ、さらに電源ボード７０４がこのシールド板７０３上に取り付けられている。また、電源ボード７０４とは別に、内部機構ユニット７０５が下部ケーシング７０２上に取り付けられている。さらにこの構造においては、上部ケーシング７０６は、図示しないネジ止め機構により下部ケーシング７０２に固定されている。
【００５５】
すなわち、図５に示す構造においては、下部ケーシング７０２が電源ボード、内部機構ユニット７０５、および上部ケーシング７０６を支えた構造を有している。また、下部ケーシング７０２と上部ケーシング７０６とが、直接結合され、外装部材として一体化された構造となっている。
【００５６】
図５に示す構造において、下部ケーシング７０２の構造および各部材のネジ止めの部分以外は、図１に示す実施形態の構造と同じものとした。また、外形寸法も両者で同じものになるようにした。
【００５７】
（落下試験の結果）
以下、落下衝撃試験の結果について説明する。ここで説明する落下衝撃試験は、中華人民共和国国家標準規格（ＧＢ  ２４２３．８：梱包落下試験規格）を参考にしたものである。
【００５８】
ここでは、実施形態１のプリンタを梱包したものを試験体として採用した。試験では、試験体を所定の高さから、自由落下させ、その際の衝撃を内部機構ユニットに固定した加速度センサ（Ｇメータ）によって計測した。衝突させる部分は、試験体の１角→３稜（３辺）→６面の計１０ヶ所である。試験は、各部位に関して１回行い、合計１０回の落下試験を行った。落下高さは、１角および３稜が８０ｃｍ、６面が１ｍである。
【００５９】
図６は、試験体の衝突させた部位を説明するための概念図である。図６には、プリンタを梱包した状態の直方体の試験体６００が示されている。以下、落下時に衝突させる部分の選択方法を説明する。まず、１角（角の一ヶ所）であるが、これは、重量バランスが偏った部分（つまり重心がある付近）から最も離れた角部分を、衝突させる角１（６２１）として選択する。
【００６０】
そして、この角１（６２１）を形作る３辺を稜１（６０１）、稜２（６０２）、稜３（６０３）と選択する。ここでは、角１（６２１）として、プリンタ１００の前面（正面）右下の角が選択され、面１（６１１）として、正面から見てプリンタの右側面に相当する面、面２（６１２）として、正面から見てプリンタの左側面に相当する面、面３（６１３）として、プリンタの正面（前面）に相当する面、面４（６１４）として、プリンタの後面（背面）に相当する面、面５（６１５）として、プリンタの底面に相当する面、面６（６１６）として、プリンタの上面に相当する面が選択される。
【００６１】
なお、梱包した試験対象のプリンタは、図１〜図４に示す構造を有し、概略の寸法は、幅３４ｃｍ、高さ１６ｃｍ、奥行き１９ｃｍ重量が４．５ｋｇである。下記表１に上述した条件で行った落下衝撃試験の結果を示す。なお、従来構造に関するデータは、図５に示した構造のプリンタに対して、同様な条件下において落下衝撃試験を行った結果である。
【００６２】
【表１】
2006116850.tif 000003
【００６３】
表１から分かるように、落下させ衝突させた部位のほとんどにおいて、顕著な衝撃緩和効果を確認することができた。すなわち、どのような向きで落としても、内部機構ユニットに加わる衝撃を従来構造のものに比較して小さくすることができた。
【００６４】
表１のような結果が得られた理由は、以下のように解析される。すなわち、従来構造においては、図５に示すように下部ケーシング７０２はプリンタ７０１の底面全体を構成し、さらに下部ケーシング７０２に上部ケーシング７０６が固定されている。したがって、一体に組み立てられた状態において、下部ケーシング７０２と上部ケーシング７０６とで構成される外装構造は、それなりの剛性を示す。
【００６５】
このような剛性のある構造においては、落下し衝撃が加わった際、電源という重量物を支える下部ケーシングに大きな衝撃が伝わる。その衝撃は、プリンタ全体として剛性の高い一体構造の外装を有するプリンタにおいては吸収され難い。したがって、内部機構に大きな衝撃が加わってしまう。
【００６６】
これに対して、本実施形態のプリンタは、下部ケーシングが分割され、しかも下部ケーシングと上部ケーシングとが直接結合されておらず、それぞれが個別に内部機構ユニットの骨格部に固定されている。したがって、プリンタの変形による衝撃吸収能力を高く発揮でき、内部機構に伝わる衝撃を低減することができる。
【００６７】
（本実施形態の優位性）
以上説明した実施形態のプリンタは、外装部材である下部ケーシングを分割することで、下部ケーシング自体の寸法を小さくでき、そのため製造コストを低減することができる。すなわち、通常下部ケーシングは、樹脂材料を用いた射出成形品が用いられるのであるが、その寸法が大きい場合、射出成形装置が大型化し、製造コストが増大する。本発明では、下部ケーシングを分割しているので、成型型が小さなもので済み、製造コストを抑えることができる。また、ケーシングを構成する樹脂材料の使用量を低減することができる。
【００６８】
また、下部ケーシングを分割した構造とすることで、プリンタが床等に落下した際に受ける内部の衝撃を緩和することができる。これにより、耐落下衝撃性の高いプリンタを得ることができる。
【００６９】
さらに、２分割された下部ケーシングの間において、内部機構ユニットの骨格部を構成する底板部を露出させた構造にできるので、内部機構ユニットで生じる発熱をプリンタの底面から効果的に放熱することができる。特に、下部ケーシングをプリンタの脚部として機能させ、上記露出部とプリンタの設置面との間に隙間を設けるようにすることで、放熱経路を確保でき、放熱効果を高めることができる。
【００７０】
２．第１の実施形態の変形
下部ケーシングは、２分割でなく、４分割であってもよい。例えば、図１に示す構造において、下部ケーシング１０１ａと１０１ｂとを２分割し、底板部１０３ｄの４角のそれぞれを４個の下部ケーシングによって保持する構造としてもよい。すなわち、底板部の各角を個別に下部ケーシングによって保持する構造としてもよい。
【産業上の利用可能性】
【００７１】
本発明は、低コストで耐落下衝撃性に優れたプリンタの構造に適用することができる。
【図面の簡単な説明】
【００７２】
【図１】実施形態のプリンタの概要を示す分解斜視図である。
【図２】実施形態のプリンタの概要およびその分解状態を示す斜視図である。
【図３】実施形態のプリンタの断面構造を示す断面図である。
【図４】実施形態のプリンタの正面図および背面図である。
【図５】比較例のプリンタの概要を示す分解斜視図である。
【図６】落下試験時における試験体の衝突部分を説明する斜視図である
【符号の説明】
【００７３】
１００…プリンタ、１０１ａ…下部ケーシング、１０１ｂ…下部ケーシング、１０３…内部機構ユニット、１０３ａ…側板、１０３ｂ…側板、１０３ｃ…連結フレーム、１０３ｄ…底板部、１０４…電源ユニット、１０５…上部ケーシング、１０６…開閉動作が可能な半透明アクリル板、１０７…下部ケーシング内側の縁、１０８…電源スイッチ、１０９…「取っ手」となる窪み、２０２…設置面、２０３…突起部、２０４…空気の流通経路を示す矢印、４０１…コネクタ、４０２…底板部の露出した表面、４０３…隙間、６００…試験体、６０１…落下試験時に衝突させる稜１、６０２…落下試験時に衝突させる稜２、６０３…落下試験時に衝突させる稜３、６１１…落下試験時に衝突させるプリンタの右側面に相当する面１、６１２…落下試験時に衝突させるプリンタの左側面に相当する面２、６１３…落下試験時に衝突させるプリンタの正面に相当する面３、６１４…落下試験時に衝突させるプリンタの背面に相当する面４、６１５…落下試験時に衝突させるプリンタの底面に相当する面５、６１６…落下試験時に衝突させるプリンタの上面に相当する面６、６２１…落下試験時に衝突させる角１。
【図１】
2006116850.tif 000004
【図２】
2006116850.tif 000005
【図３】
2006116850.tif 000006
【図４】
2006116850.tif 000007
【図５】
2006116850.tif 000008
【図６】
2006116850.tif 000009